【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
中間転写部材（ＩＴＭ）から印刷基板上へのインク画像の転写のために画像形成ステーションから押圧ステーションへ前記インク画像を搬送するために印刷システムにおいて用いるための前記ＩＴＭであって、
長手方向軸を有する細長ベルトで形成された、均一なベルト幅を有する無端可撓性ベルトと、
前記長手方向軸に沿って前記ベルトの側縁部に取り付けられた第１の細長ストリップおよび第２の細長ストリップであって、各々が、前記ベルトの前記側縁部に対し遠位である外向き側端部に側部構造を含む、前記第１および第２の細長ストリップと
を備え、
使用中、前記ベルトは、前記側部構造を受容するように構成されたガイドチャネルを備えるガイドシステムによって、少なくとも前記画像形成ステーションを通るようにガイドされるように構成され、
前記第１および第２の細長ストリップの少なくとも１つは、ストリップ幅を有し、前記長手方向軸に沿って伸長し、第１部分幅および第１の弾性を有する第１の長手方向部分と、前記長手方向軸に沿って伸長し、第２部分幅および第２の弾性を有する第２の長手方向部分とを有し、前記第１部分は、前記ベルトの前記側縁部に取り付けられ、前記第２部分は、前記第１部分と前記側部構造との間に伸長し、
前記第２の弾性は前記第１の弾性よりも大きい、ＩＴＭ。
【請求項２】
前記側部構造は、前記ベルトが前記長手方向軸に対し垂直な幅手方向における緊張状態に置かれ、前記ガイドチャネルによって画定された連続経路を辿ることを強いられるように、前記ガイドチャネルと係合するように構成される、請求項１に記載のＩＴＭ。
【請求項３】
前記第２部分は、前記長手方向軸に対し垂直な幅手方向において弾性である、請求項１または２に記載のＩＴＭ。
【請求項４】
前記第１の長手方向部分は非弾性であり、前記第２の長手方向部分は弾性である、請求項１〜３のいずれか１項に記載のＩＴＭ。
【請求項５】
前記第１の細長ストリップのみが前記第１部分および前記第２部分を含み、前記第２の細長ストリップは、非弾性である、請求項１〜４のいずれか１項に記載のＩＴＭ。
【請求項６】
前記第１の細長ストリップおよび前記第２の細長ストリップの各々は、前記第１部分および前記第２部分を含む、請求項１〜４のいずれか１項に記載のＩＴＭ。
【請求項７】
前記第１の細長ストリップの前記第２部分の弾性は、前記側部構造がそれぞれのガイドチャネルを通ってガイドされる時、前記ベルトの緊張を維持するために十分である、請求項１〜６のいずれか１項に記載のＩＴＭ。
【請求項８】
前記第２部分幅と前記第１部分幅との比は、１：１〜１：１５の範囲内である、請求項１〜７のいずれか１項に記載のＩＴＭ。
【請求項９】
前記ストリップ幅は、２０ｍｍ〜４０ｍｍの範囲内である、請求項１〜８のいずれか１項に記載のＩＴＭ。
【請求項１０】
前記第１の弾性は、１０．０Ｎ／ｍｍ以上、２０．０Ｎ／ｍｍ以上、３０．０Ｎ／ｍｍ以上、４０．０Ｎ／ｍｍ以上、５０．０Ｎ／ｍｍ以上、７５．０Ｎ／ｍｍ以上、１００．０Ｎ／ｍｍ以上、１２５．０Ｎ／ｍｍ以上、１５０．０Ｎ／ｍｍ以上、１７５．０Ｎ／ｍｍ以上、または２００．０Ｎ／ｍｍ以上である、請求項１〜９のいずれか１項に記載のＩＴＭ。
【請求項１１】
前記第１の弾性は、最大５％の伸度、最大４％の伸度、最大３％の伸度、最大２％の伸度、最大１％の伸度、最大０．５％の伸度、最大０．２％の伸度、または最大０．１％の伸度である、請求項１〜１０のいずれか１項に記載のＩＴＭ。
【請求項１２】
前記第２の弾性は、０．１〜１０．０Ｎ／ｍｍ、０．１〜８．０Ｎ／ｍｍ、０．１〜５．０Ｎ／ｍｍ、１．０〜５．０Ｎ／ｍｍ、２．０〜５．０Ｎ／ｍｍ、または３．０〜５．０Ｎ／ｍｍの範囲内である、請求項１〜１１のいずれか１項に記載のＩＴＭ。
【請求項１３】
前記第２の弾性は、５％以上の伸度、８％以上の伸度、１０％以上の伸度、２０％以上の伸度、３０％以上の伸度、４０％以上の伸度、または５０％以上の伸度である、請求項１〜１２のいずれか１項に記載のＩＴＭ。
【請求項１４】
前記第２の弾性と前記第１の弾性とのばね定数測定値の比は、２２ｍｍの試料幅および１０ｍｍの試料長さを有する試料においてＮ／ｍｍ単位で測定した場合、１：４以上、１：６以上、１：１０以上、１：１２以上、１：２０以上、１：３０以上、１：４０以上、１：５０以上、１：６０以上、1：７０以上、１：８０以上、１：９０以上、または１：１００以上である、請求項１〜１３のいずれか１項に記載のＩＴＭ。
【請求項１５】
請求項１に記載のＩＴＭを形成する方法であって、
前記細長可撓性ベルトを取得することと、
前記第１および第２の長手方向部分を含む前記第１の細長ストリップを取得することと、
前記第２の細長ストリップを取得することと、
前記細長可撓性ベルトの前記側縁部に前記第１および第２の細長ストリップを取り付けることと
を備える方法。
【請求項１６】
可撓性ベルトを形成する方法であって、
ａ．印刷システムにおけるＩＴＭとしての使用に適した、第１および第２の側縁部を有する、均一なベルト幅および長手方向軸を有する細長可撓性ベルトを取得することと、
ｂ．ストリップ幅を有する第１の細長ストリップであって、
第１の側端部において前記第１の細長ストリップに沿って伸長する、前記長手方向軸に沿って伸長し、第１部分幅および第１の弾性を有する第１の長手方向部分と、
前記第１の細長ストリップの第２の側端部における側部構造と、
前記第１部分と前記側部構造との間に長手方向に伸長する、前記長手方向軸に沿って伸長し、第２部分幅および第２の弾性を有する第２の長手方向部分とを含み、
前記第２の弾性は前記第１の弾性よりも大きい、
第１の細長ストリップを取得することと、
ｃ．第１および第２の側端部を有し、前記第２の側端部に側部構造を含む、第２の細長ストリップを取得することと、
ｄ．前記第１および第２の細長ストリップの前記第２の側端部を前記細長可撓性ベルトの前記第１および第２の側縁部に取り付けることと
を備える方法。
【請求項１７】
ａ．（ｉ）長手方向軸を有する細長ベルトで形成された、均一なベルト幅を有する無端可撓性ベルトと、
（ｉｉ）各々が、前記長手方向軸に沿って前記ベルトの側縁部に取り付けられた、第１の細長ストリップおよび第２の細長ストリップであって、各々が、前記ベルトの前記側縁部に対し遠位である外向き側端部に側部構造を含む前記第１の細長ストリップおよび前記第２の細長ストリップと
を含み、
前記第１および第２の細長ストリップの少なくとも１つは、ストリップ幅を有し、第１部分幅および第１の弾性を有する第１の長手方向部分と、第２部分幅および第２の弾性を有する第２の長手方向部分とを含み、前記第１部分は、前記ベルトの前記側縁部に取り付けられ、前記第２部分は、前記第１部分と前記側部構造との間に伸長し、
前記第２の弾性は前記第１の弾性よりも大きい、中間転写部材（ＩＴＭ）と、
ｂ．前記ＩＴＭの外側表面にインク画像を形成するためにインクの液滴が塗布される画像形成ステーションと、
ｃ．前記ＩＴＭから印刷基板上への前記インク画像の転写のための押圧ステーションと、
ｄ．前記側部構造を受容するように構成されたガイドチャネルを備え、前記画像形成ステーションを少なくとも通って伸長し、使用中、前記画像形成ステーションに沿って前記ＩＴＭをガイドするように構成されたガイドシステムと
を備える印刷システム。
【請求項１８】
前記第２部分は、前記長手方向軸に対し垂直な幅手方向において弾性である、請求項１７に記載の印刷システム。
【請求項１９】
前記第１の長手方向部分は非弾性であり、前記第２の長手方向部分は弾性である、請求項１７または１８に記載の印刷システム。
【請求項２０】
前記第１の細長ストリップのみが前記第１部分および前記第２部分を含み、前記第２の細長ストリップは非弾性である、請求項１７〜１９のいずれか１項に記載の印刷システム。